(57)【要約】【課題】排気ガスの一部をＥＧＲ通路２４により吸気通路１５に還流する（外部ＥＧＲ）ようにしたエンジン１において、その外部ＥＧＲの状態を従来よりもきめ細かく判定できるようにし、これに基づいてＥＧＲ系の診断等をより効果的に行えるようにする。【解決手段】エンジン１の燃焼室６内に発生するイオン電流を検出するイオン電流検出回路３３を備え、当該燃焼室６において着火後、ＴＤＣまでの特定期間におけるイオン電流の検出値を積算するとともに、その総積算値の所定割合（１０〜５０％）までが積算されたクランク角位置を評価値（イオンパラメータＩｐ）として特定する。このイオンパラメータＩｐの他、点火時期、充填効率ｃｅ及びエンジン回転数ｎｅに基づいて、外部ＥＧＲ量を定量的に推定する。推定した外部ＥＧＲ量に基づいてＥＧＲ系の故障を診断する。【選択図】    図４
2007270719.tif 000002
【特許請求の範囲】
【請求項１】
エンジンの排気ガスの一部を吸気系に還流する排気ガス還流装置の診断装置であって、
エンジンの燃焼室内に発生するイオン電流を検出するイオン電流検出手段と、
前記燃焼室において着火後、圧縮上死点付近までの特定期間に前記イオン電流検出手段により検出されたイオン電流値に基づいて、前記排気ガス還流装置による排気ガスの還流状態を判定する判定手段と、を備えることを特長とする排気ガス還流装置の診断装置。
【請求項２】
判定手段は、特定期間全体に亘って検出されたイオン電流値を積算し、その総積算値の所定割合までが積算されたクランク角位置を特定して、このクランク角位置に基づいて排気ガスの還流状態を判定するように構成されていることを特徴とする請求項１に記載の診断装置。
【請求項３】
判定手段により特定されるクランク角位置までのイオン電流値の積算割合は、総積算値の１０〜５０％の範囲に設定されていることを特徴とする請求項２に記載の診断装置。
【請求項４】
エンジンは火花点火式のものであり、
判定手段は、少なくとも特定したクランク角位置と点火時期とに基づいて、排気ガスの還流量を推定するように構成されていることを特徴とする請求項２又は３のいずれかに記載の診断装置。
【請求項５】
判定手段により推定された排気ガス還流量と排気ガス還流装置における排気ガス還流量の目標値とを対比して、排気ガス還流装置に関する故障を診断し、これを報知する故障報知手段を備えることを特徴とする請求項４に記載の診断装置。
【請求項６】
排気ガス還流装置による排気ガスの還流が行われる条件下で、判定手段により排気ガスの還流量が所定以下の微少還流状態であると判定されたとき、排気ガス還流装置に関する故障を診断し、これを報知する故障報知手段を備えることを特徴とする請求項１〜３のいずれか１つに記載の診断装置。
【請求項７】
判定手段により推定された排気ガス還流量に基づいて点火時期を補正する点火時期補正手段を備えることを特徴とする請求項４又は５のいずれかに記載の診断装置。
【発明の詳細な説明】
【技術分野】
【０００１】
本発明は、エンジンの排気ガスの一部を吸気系に還流する排気ガス還流装置の診断に係り、特に、イオン電流からエンジンの燃焼状態を求めて、これにより排気ガスの還流状態を推定する技術に関する。
【背景技術】
【０００２】
従来より、この種の診断装置として、例えば特許文献１に開示されるように、火花点火式エンジンにおいて混合気への点火後に燃焼室に発生するイオン電流を検出し、その最大値がエンジンの運転状態に対応する基準値を超えているときに、排気ガス還流装置（ＥＧＲ装置）の故障を診断するようにしたものが知られている。
【０００３】
すなわち、一般に、エンジンの吸気系へ排気ガスを還流し、吸気中に不活性な排気ガスを含ませて熱容量を増大させれば、燃焼温度を低下させて、ＮＯｘ（窒素酸化物）の生成を抑えることができ、ポンプ損失も低減できるものであるが、その還流量が多すぎれば、燃焼性が悪化することになるので、通常はエンジンの運転状態に応じて排気ガスの還流量を調整するようにしている。
【０００４】
一方、エンジンの燃焼室において混合気が着火した後に、火炎核の成長に伴い拡大する火炎面には、燃焼反応に伴いイオンが発生するから、例えば点火プラグ等に所定の電圧を付加すれば、イオンを媒体として電流が流れるようになる。このイオン電流は、燃焼が活発なときほど多く流れると考えられるから、イオン電流の検出値に基づいて燃焼状態を観察することができる。
【０００５】
そこで、前記文献に記載のものは、検出したイオン電流の最大値等に基づいて、これが基準値以下で相対的に燃焼が緩慢であると考えられるときには、排気ガスが還流されていると判定する一方、イオン電流の最大値が基準値を越えていて、相対的に燃焼が活発であると考えられるときには、排気ガスは還流されておらず、排気ガス還流装置が故障していると判定するようにしている。
【特許文献１】特開平０７−２９３３５１号公報
【発明の開示】
【発明が解決しようとする課題】
【０００６】
ところが、前記従来例の診断装置は、検出したイオン電流の最大値等に基づいて大雑把に排気ガスが還流されているか否かを判定するのみであり、例えばその還流量等、より詳細な還流状態の判定を行うことはできない。これは、従来例のものがイオン電流の最大値等、燃焼行程において検出したイオン電流の全体的な傾向に基づいて判定を行うようにしているためである。
【０００７】
すなわち、前記のようにイオン電流はエンジンの燃焼状態に応じて変化するものであり、それは、ＥＧＲ装置によって排気系から還流される排気ガス（以下、外部ＥＧＲともいう）の量だけでなく、燃焼室内に残留する既燃ガス（同じく内部ＥＧＲ）の量によっても変化するから、検出したイオン電流の最大値等からは外部ＥＧＲ量だけを求めることはできず、前記のような大雑把な判定しかできないのである。
【０００８】
この点について、本願の発明者は、着火後に燃焼室に発生するイオン電流の変化について鋭意、研究した結果、イオン電流の波形には通常、前半及び後半の２つの山が現れ（図２(b)等を参照）、その前半の山の高さや形状が外部ＥＧＲ量と高い相関を持つことに気付いて、本願発明を完成したものである。
【０００９】
すなわち、イオン電流波形の前半の山は、主に着火後の火炎面に発生するイオンを媒体とするイオン電流の変化を表すものと考えられ、これは、火炎核の成長や燃焼室の流動による火炎面の移動の影響を受けるから、例えば外部ＥＧＲが増えて燃焼が緩慢になれば、前半の山は相対的に低くなだらかなものになって、そのピークが遅角側に移動すると考えられる。
【００１０】
この点、仮に内部ＥＧＲが増えたとすると、前記外部ＥＧＲの場合と同様に燃焼が全体として緩慢になるものの、一方で高温の内部ＥＧＲによって初期燃焼は促進されることになるので、イオン電流波形の前半の山にはあまり変化は起きないのである。
【００１１】
また、後半の山の表すイオン電流は、燃焼の進行による燃焼室の温度上昇に伴い、既燃ガス中に存在するＮＯｘが熱電離して発生するイオンを媒体とするものと考えられる。よって、内部、外部を問わずＥＧＲが増えて、全体的に燃焼が緩慢になれば、イオン電流波形の後半の山は低くなるのである。
【００１２】
以上より、本発明の目的は、前記のように新たに発見したイオン電流波形の特徴に着目して、外部ＥＧＲの状態を従来よりもきめ細かく判定できるようにし、これに基づいて排気ガス還流装置の診断等をより効果的に行えるようにすることにある。
【課題を解決するための手段】
【００１３】
前記の目的を達成するために、本発明では、燃焼室において着火後、圧縮上死点付近までの特定期間に検出したイオン電流値に基づいて、即ちイオン電流波形の前半の山の高さ等に基づき、内部ＥＧＲの影響を極力、排除して、外部ＥＧＲの状態（排気ガス還流装置による排気ガスの還流状態）を判定するようにした。
【００１４】
具体的に、請求項１の発明は、エンジンの排気ガスの一部を吸気系に還流する排気ガス還流装置の診断装置であって、エンジンの燃焼室内に発生するイオン電流を検出するイオン電流検出手段と、当該燃焼室において着火後、圧縮上死点付近までの特定期間に前記イオン電流検出手段により検出されたイオン電流値に基づいて、前記排気ガス還流装置による排気ガスの還流状態を判定する判定手段と、を備えるものとする。
【００１５】
前記の構成により、エンジンの運転中に燃焼室において発生するイオン電流がイオン電流検出手段により検出され、特に着火後、圧縮上死点付近までの特定期間に検出されたイオン電流値に基づいて、即ち、イオン電流波形の前半の山の高さや形状等に基づいて、排気ガス還流装置による排気ガスの還流状態が判定手段により判定される。
【００１６】
こうして、燃焼室に残留する既燃ガス（内部ＥＧＲ）の影響が小さく、排気系からの還流排気ガス（外部ＥＧＲ）量との相関が高いイオン電流値に基づいて、外部ＥＧＲの状態を従来よりもきめ細かく判定することができ、この判定結果に基づいて排気ガス還流装置の診断等を効果的に行うことができる。
【００１７】
より具体的には、例えば、前記特定期間全体に亘って検出したイオン電流値を積算し、その総積算値の所定割合までが積算されたクランク角位置を特定して、この特定したクランク角位置に基づいて排気ガスの還流状態を判定することができる（請求項２の発明）。その所定割合というのは例えば総積算値の１０〜５０％の範囲に設定すればよい（請求項３の発明）。
【００１８】
そうすれば、着火から圧縮上死点付近までの特定期間の中でも、前半の特に外部ＥＧＲ量との相関が高い範囲で検出されたイオン電流に基づいて、外部ＥＧＲの状態を正確に判定することができる。尚、火花点火式エンジンの場合、点火直後は大きなノイズが発生するため、総積算値の１０％未満のイオン電流値に基づいて正確な判定を行うことは難しい。また、圧縮上死点付近というのは一例として、その前後５〜１０°ＣＡ（クランク角）くらいの範囲を含むものとする。
【００１９】
ここで、エンジンが火花点火式のものである場合には、前記判定手段は、少なくとも特定したクランク角位置と点火時期とに基づいて、即ち、燃焼室内の混合気に点火されてからの初期燃焼の立ち上がりの様子に基づいて、外部ＥＧＲ量（排気ガスの還流量）を推定することができる（請求項４の発明）。尚、初期燃焼の立ち上がりには、外部ＥＧＲ量以外にその温度や新気と合わせた吸気の充填量、燃焼室内の流動強さ、さらには燃焼室の温度等も影響するから、外部ＥＧＲ量の推定にはさらにエンジンの運転状態も加味することが好ましい。
【００２０】
その場合に好ましいのは、前記のように推定された外部ＥＧＲ量と排気ガス還流装置における外部ＥＧＲ量の目標値とを対比して、その排気ガス還流装置に関する故障を診断し、これを報知する故障報知手段を備えることである（請求項５の発明）。こうすれば、推定した外部ＥＧＲ量を目標値と対比することで、排気ガス還流装置の故障の程度まで診断することができ、効果的な診断及び報知が行える。
【００２１】
或いは、より簡易に、エンジンが外部ＥＧＲの行われる条件下にあるにも拘わらず、前記判定手段により外部ＥＧＲ量が所定以下の微少還流状態（還流されていない場合も含む）であると判定されたときに、排気ガス還流装置に関する故障を診断し、これを報知する故障報知手段を備えることもできる（請求項６の発明）。
【００２２】
また、より好ましいのは、前記のように推定された外部ＥＧＲ量に基づいて、例えば、それが排気ガス還流装置における外部ＥＧＲ量の目標値よりも多ければ進角側へ、少なければ遅角側へというように、エンジンの点火時期を補正する点火時期補正手段を備えることである（請求項７の発明）。こうすれば、実際の外部ＥＧＲ量に対応してこれに相応しい点火時期に補正することで、排気ガス還流装置の故障に対応するのみならず、サイクル変動による外部ＥＧＲ量の変化の影響も軽減して、エンジンの運転効率を高めることができる。
【発明の効果】
【００２３】
以上、説明したように、本発明に係る排気ガス還流装置の診断装置によると、エンジンの燃焼室において着火後、圧縮上死点付近までの特定期間に検出したイオン電流値に基づいて、即ちイオン電流波形の前半の山の高さや形状等に基づいて、排気ガス還流装置による排気ガスの還流状態を判定するようにしたから、残留既燃ガスの影響を極力、排除して、外部ＥＧＲの状態を従来よりもきめ細かく判定することができるようになり、この判定結果に基づいて排気ガス還流装置の診断等を効果的に行うことができる。
【００２４】
例えば、前記特定期間の前半における初期燃焼の立ち上がりの様子から外部ＥＧＲ量（排気ガスの還流量）を推定することができ、そうして推定した外部ＥＧＲ量を目標値と対比することで、排気ガス還流装置の効果的な診断及び報知が行える。或いは、外部ＥＧＲ量の推定値に基づいて点火時期を補正することで、エンジンの運転効率を高めることができる。
【発明を実施するための最良の形態】
【００２５】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２６】
（エンジンの概略構成）
図１は、本発明に係る診断装置を備えた実施形態のエンジン１を模式的に示し、この例ではエンジン１は、複数のシリンダ２，２，…（図には１つのみ示す）が直列に配置された火花点火式エンジンである。図示の如く、シリンダ２の上端はシリンダブロック３の上端面に開口し、そこに載置されたシリンダヘッド４の下面により閉塞されている。シリンダ２内にはピストン５が往復動可能に嵌挿されていて、このピストン５の上面とシリンダヘッド４の下面との間に燃焼室６が区画される。一方、ピストン５の下方のクランクケース内には、図示しないがクランク軸が配設され、コネクティングロッドによってピストン５と連結されている。
【００２７】
前記シリンダヘッド４には各シリンダ２毎に点火プラグ７が配設され、その先端の電極が燃焼室６に臨むように配置される一方、該点火プラグ７の基端部は点火回路８に接続されている。この点火回路８には、図２(a)にのみ示すが、パワートランジスタからなるイグナイタ８ａとイグニッションコイル８ｂとが含まれており、後述のＰＣＭ３０からの制御信号を受けて各シリンダ２毎に所定のタイミング（点火時期）で点火プラグ７に通電するようになっている。この例では点火回路８にイオン電流検出回路３３が接続されていて、同図(b)のようにイオン電流を検出できるようになっているが、これについては後述する。
【００２８】
また、シリンダヘッド４には、各シリンダ２毎の燃焼室６に臨んで開口するように吸気ポート９及び排気ポート１０がそれぞれ形成され、その各ポート開口部にはそれぞれカム軸により開閉されるように吸気弁１１及び排気弁１２が配設されている。同図には示さないが、カム軸は、吸気側及び排気側に１本ずつ設けられていて、共通のカムチェーンによりクランク軸に駆動連結されており、このクランク軸の回転に同期して吸気側及び排気側のカム軸がそれぞれ回転されることにより、吸気及び排気弁１１，１２がそれぞれ所定のタイミングで開閉されるようになっている（図３を参照）。
【００２９】
また、この例では前記吸気側のカム軸に、クランク軸の回転に対する位相を所定の角度範囲（例えば４０〜６０°ＣＡ）内で連続的に変更可能な位相可変機構１３（Variable Valve Timing 以下、ＶＶＴともいう）が付設されており、このＶＶＴ１３によって、図３に模式的に示すように吸気弁１１のリフトカーブＩｎが進角側、遅角側に変更されるようになっている。このことで吸気の充填効率を高めることができ、また、排気弁１２のリフトカーブＥｘとのオーバーラップ期間を調整して、燃焼室６に残留する既燃ガス（内部ＥＧＲ）の量を変化させることもできる。
【００３０】
さらに、シリンダヘッド４の一側（図１の左側）には、下流端が吸気ポート９に連通するように吸気通路１５が配設されている。この吸気通路１５の上流端は外部から導入される新気を濾過するためのエアクリーナ１６に接続されており、そこから下流側に向かって順に、吸気流量を検出するエアフローセンサ１７と、電動モータ１８ａにより駆動されて吸気通路１５を絞るスロットル弁１８と、各シリンダ２毎に燃料を噴射供給する４つのインジェクタ１９，１９，…（図には１つのみ示す）とが配設されている。
【００３１】
一方、シリンダヘッド４の反対側（図１の右側）には、排気ポート１０に連通して各シリンダ２内の燃焼室６から既燃ガス（排気ガス）を排出するように、排気通路２０が配設されている。この排気通路２０には上流側から順に、排気ガス中の酸素濃度を基に混合気の空燃比を検出するための酸素濃度センサ（以下、Ｏ2センサ）２１と、排気ガスを浄化するための触媒コンバータ２２とが配設されている。
【００３２】
また、前記Ｏ2センサ２１よりも上流側の排気通路２０には、排気ガスの一部を吸気通路１５に還流するための排気還流通路２４（以下、ＥＧＲ通路）が分岐接続されていて、このＥＧＲ通路２４の下流端が前記スロットル弁１８よりも下流側の吸気通路１５に連通している。このＥＧＲ通路２４の下流端寄りには開度調節可能な電気式の流量制御弁２５（以下、ＥＧＲ弁）が配設されていて、ＥＧＲ通路２４を還流される排気ガス（外部ＥＧＲ）の流量を調節するようになっている。
【００３３】
さらにまた、エンジン１のシリンダブロック３下部のクランクケース内には、クランク軸の回転角（クランク角）を検出する電磁ピックアップ等からなるクランク角センサ２６が設けられている。このクランク角センサ２６は、クランク軸の端部に一体に回転するように取り付けられたロータ２７の回転に伴い、その外周部に設けられた凸部の通過に対応して信号を出力する電磁ピックアップコイル２６からなる。また、シリンダブロック３のウォータジャケット（図示せず）には、冷却水の温度状態を検出する水温センサ２８が臨設されている。
【００３４】
前記エアフローセンサ１７、Ｏ2センサ２１、クランク角センサ２６、水温センサ２８等からの出力信号は、それぞれＰＣＭ（Power-train Control Module）３０に入力されるようになっている。このＰＣＭ３０は、周知の如くＣＰＵ、ＲＯＭ、ＲＡＭ、Ｉ／Ｏインターフェース回路等を備えており、前記各センサ以外に、少なくとも、吸気側カム軸の回転角（回転位置）を検出するカム角センサ３１と、アクセルペダルの操作量を検出するアクセル開度センサ３２と、からそれぞれ出力される信号を受け入れる。
【００３５】
そして、ＰＣＭ３０は、前記各センサ等から入力した信号に基づいてエンジン１の運転状態を判定し、これに応じてエンジン１の運転制御を行うようになっている。すなわち、ＰＣＭ３０は、点火回路８に対し各シリンダ２毎の点火時期の制御信号を出力し、ＶＶＴ１３に対し吸気弁１１の作動タイミングを制御するための信号を出力するとともに、スロットル弁１８に対し吸気流量を制御するための信号を出力し、さらに、各シリンダ２毎のインジェクタ１９，１９，…に対し燃料噴射量及び噴射タイミングを制御するためのパルス信号を出力する。
【００３６】
また、ＰＣＭ３０は、ＥＧＲ通路２４によって吸気系に環流する排気ガス（外部ＥＧＲ）の量を制御するために、ＥＧＲ弁２５に対し制御信号を出力する。外部ＥＧＲは新気と混合されて、吸気の熱容量を増大させることにより、燃焼温度を低下させてＮＯｘの生成を抑えるとともに、エンジン１のポンプ損失も低減できるものであるが、その割合が多すぎれば、燃焼性が低下することになるので、エンジン１の運転状態に応じて制御するのである。
【００３７】
言い換えると、ＰＣＭ３０は、メモリに記憶されている制御プログラムによって機能的に、ＥＧＲ弁２５の開度を調節して、吸気に対する排気ガスの還流割合（以下、外部ＥＧＲ率）を制御するＥＧＲ制御部３０ａを備えており、このＥＧＲ制御部３０ａと、ＥＧＲ通路２４及びＥＧＲ弁２５とによって、排気ガス還流装置が構成されている。
【００３８】
ところで、そのようにＥＧＲ弁２５によって流量が調節された排気ガスの流れは、吸気通路１５にて新気の流れと合流し、サージタンクを経て各シリンダ２毎へと流れて行くのであるが、そうして各シリンダ２に吸入される吸気中の還流排気ガスの割合（外部ＥＧＲ率）は必ずしも一定でなく、エンジン１の定常運転中であっても周期的な変動（所謂サイクル変動）を生じ、このことが燃焼性等に悪い影響を及ぼす虞れがある。
【００３９】
また、外部ＥＧＲ量を調節するＥＧＲ弁２５には、ガス中に含まれる燃料やオイルの未燃分が付着して目詰まりを起こしたり、或いは弁体が固着して動かなくなったりすることがあり、そうなれば、新気と合流する外部ＥＧＲの量そのものが制御目標値から大きくずれることになるので、各シリンダ２への吸気中の外部ＥＧＲの割合（外部ＥＧＲ率）は目標値から大きくずれてしまい、ＮＯｘの増大や燃焼性の低下を招くことになる。
【００４０】
この点に関し、この実施形態のエンジン１では、上述の如く点火回路８に接続したイオン電流検出回路３３によって、点火後に燃焼室６に発生するイオン電流を検出し、これにより混合気の燃焼状態の変化、ひいては外部ＥＧＲ率の変化を推定して、ＥＧＲ系の故障を診断したり、或いは点火時期の補正制御を行うようにしている。
【００４１】
（イオン電流による外部ＥＧＲ状態の推定）
まず、検出したイオン電流値から外部ＥＧＲ率と相関の高い評価値Ｉｐ（以下、イオンパラメータという）を求める考え方について説明する。イオン電流は、従来より、燃焼に伴い発生するイオンが媒体となって発生するものと考えられており、この実施形態では、前記図２(a)に示すように、エンジン１の点火回路８にイオン電流検出回路３３が接続されている。
【００４２】
図の例ではイオン電流検出回路３３は、イグニッションコイル８ｂの２次側が接地される点火プラグ７とは反対側の端部に直列に接続された電源コンデンサ３３ａと、検出回路３３ｂとからなり、イグナイタ８ａの作動によって点火プラグ７に通電される際（点火）に電源コンデンサ３３ａに蓄えられた電荷と、その後、燃焼室６において発生したイオンとで回路が構成されて電流が流れ、この電流を検出回路３３ｂが検出するようになっている。検出回路３３ｂからの信号はＰＣＭ３０へ出力される。
【００４３】
そうして検出されるイオン電流の値は、同図(b)に模式的に示すように点火後のクランク角の進行に伴い変化し、その波形には通常、前半及び後半の２つの山が現れる。前半の山に表されるイオン電流は、混合気が着火した後に、火炎核の成長に伴い拡大する火炎面に存在するイオン（ラジカル）を媒体とするものと考えられ、これは、特に初期燃焼の速度や燃焼室の流動強さの影響を強く受ける。すなわち、前半の山は、初期燃焼が活発であるほど急峻になり、そのピークが進角する。
【００４４】
一方、後半の山に表されるイオン電流は、前記のように燃焼反応そのものによって発生するイオン（ラジカル）の他に、燃焼室の温度上昇に伴い既燃ガス中に存在するＮＯｘが熱電離して発生するイオンをも媒体とするものと考えられ、そのピークは、燃焼室の温度が最高になるクランク角位置に現れて、全体として燃焼が活発であるほど高くなり、それが緩慢なほど低くなる。
【００４５】
そうすると、外部ＥＧＲが増えて燃焼が全体として緩慢になれば、イオン電流波形の前半の山は相対的に低くなって、そのピークが遅角側に移動するとともに、後半の山も低くなると考えられる。これに対し内部ＥＧＲが増えたときには、外部ＥＧＲの場合と同様に燃焼が全体として緩慢になるものの、一方で高温の内部ＥＧＲによって初期燃焼は促進されることになるから、イオン電流波形の前半の山、特にそのピークまでの立ち上がりにはあまり変化は起きないと考えられる。
【００４６】
つまり、イオン電流波形の前半の山におけるピークまでの立ち上がりの様子を観れば、内部ＥＧＲの影響を概ね排除して、外部ＥＧＲの状態を把握することができると考えられる。そこで、この実施形態では、図４に模式的に示すように、点火終了から圧縮上死点（ＴＤＣ）までの特定の期間に検出されたイオン電流値を積算し、その総積算値（図に斜線を入れて示す範囲の面積に相当する）の所定割合（１０〜５０％の範囲で設定すればよい）までが積算されたクランク角位置を、イオン電流の立ち上がり特性を表す評価値、即ちイオンパラメータＩｐとして用いるようにしている。
【００４７】
図５(a)〜(d)は、それぞれ、前記ＴＤＣまでの間のイオン電流の総積算値に対して、１０％、２０％、５０％、９０％までが積算されたクランク角位置をイオンパラメータＩｐとして、点火時期及び外部ＥＧＲ率の変化に対応するイオンパラメータＩｐの変化を示した実験データである。各図において実線のグラフは、外部ＥＧＲ率０％を、破線のグラフは同１０％を、一点鎖線のグラフは同１５％を、そして、二点鎖線のグラフは同２０％を示している。
【００４８】
例えば積算率５０％のイオンパラメータＩｐを示す同図(c)によると、点火時期が同じであれば、外部ＥＧＲ率が低いほどイオンパラメータＩｐは進角側に移動しており、初期燃焼速度が高くなっていることが分かる。また、外部ＥＧＲ率一定とした場合、点火時期を進角させることでイオンパラメータＩｐも進角側に移動するのは当然であるが、その移動量は点火進角分よりも少なくなっている。
【００４９】
そして、同図(a)〜(c)から、積算率１０〜５０％のイオンパラメータＩｐを用いれば、前記の如く外部ＥＧＲ率が低いほど、イオンパラメータＩｐが進角しており、このイオンパラメータＩｐに基づいて外部ＥＧＲ率を求め得ることが分かる。一方、同図(d)に示すように、積算率９０％のイオンパラメータＩｐを用いた場合は、外部ＥＧＲ率とイオンパラメータＩｐとの相関が崩れてしまい、イオンパラメータＩｐに基づいて外部ＥＧＲ率を求めることはできない。
【００５０】
ここで、前記図５に示すデータは、エンジン１の低回転中負荷域でのものであるが、同様の特性が高回転域や低負荷域でも得られている。但し、初期燃焼の立ち上がりは、外部ＥＧＲ率以外にも、その温度や新気と合わせたシリンダ２への吸気充填量、燃焼室６内の流動強さ、さらには燃焼室６の温度等の影響を受けるから、イオンパラメータＩｐに基づいて外部ＥＧＲ率を定量的に求めようとすれば、それと点火時期以外に、エンジンの運転状態も加味する必要がある。
【００５１】
そこで、この実施形態では、図６(a)に一例を示すように、エンジン１の負荷（同図では充填効率ｃｅ）と回転数ｎｅとによって規定されるエンジン運転領域のうち、ＥＧＲ通路２４による排気ガスの還流が行われる範囲において、適当な間隔を空けて複数の格子点（ｘ，ｙ）を設定する。そして、この各格子点毎に対応するエンジン運転状態において、前記図５(c)のようにイオンパラメータＩｐ、点火時期及び外部ＥＧＲ率の相関を表すデータを実験により求める。
【００５２】
そうして求めた実験データを整理して、図６(b)のようにイオンパラメータＩｐ（Ip-1，Ip-2，…，Ip-b）と点火時期（Igt-1，Igt-2，…，Igt-a）とから外部ＥＧＲ率を求めるための演算マップを作成し、ＰＣＭ３０のメモリに電子的に格納する。こうすれば、エンジン１の運転中に検出したイオン電流値から前記イオンパラメータＩｐを算出し、このイオンパラメータＩｐと点火時期とに基づき、そのときのエンジン運転状態に対応する演算マップを参照して、外部ＥＧＲ率を定量的に求めることができる。
【００５３】
尚、前記図６(a)における格子点（ｘ，ｙ）の間に相当するエンジン運転状態についてはデータ補間により対応すればよく、さらに、例えば外気温、エンジン水温、大気圧、空燃比、ＶＶＴ１３の作動状態等に応じて、イオンパラメータＩｐやこれにより求めた外部ＥＧＲ率を補正するようにしてもよい。
【００５４】
次に、図７〜９を参照して、前記のようにイオン電流の検出値からイオンパラメータＩｐを求め、これにより外部ＥＧＲの状態を推定する手順を具体的に説明する。まず、図７は、イオン電流の検出値からイオンパラメータＩｐを計算する手順のフローチャートであり、エンジン１の暖機後、例えばＰＣＭ３０のＥＧＲ制御部３０ａによって外部ＥＧＲが実行されているときに（ＥＧＲ実行フラグオン）、各シリンダ２の燃焼サイクル毎に実行される。
【００５５】
図示のスタート後のステップＳＡ１では、点火後、少なくともクランク角センサ２６及びイオン電流検出回路３３からの信号を入力して、点火ノイズがなくなったかどうか、即ち点火終了かどうか判定し、この判定がＮＯであればリターンする一方、判定がＹＥＳで点火終了であればステップＳＡ２に進んで、検出したイオン電流値をクランク角と対応付けてメモリに記憶した後、ステップＳＡ３に進む。
【００５６】
ステップＳＡ３ではシリンダ２の圧縮上死点（ＴＤＣ）に達したかどうか判定し、ＴＤＣに達するまではステップＳＡ２に戻って、所定時間間隔（例えば０．１ミリ秒）毎にクランク角位置とイオン電流値とを対応付けてメモリに記憶する一方、ＴＤＣに達すればステップＳＡ４に進んで、イオンパラメータＩｐの計算を行う。すなわち、それまでに記憶したイオン電流の総積算値を求めて、その５０％までが積算されたクランク角位置をイオンパラメータＩｐとして特定する。
【００５７】
そして、ステップＳＡ５に進み、外部ＥＧＲの実行中でフラグオンであれば、ステップＳＡ１に戻って前記の手順を継続する（処理を継続）一方、例えばエンジン１の運転状態が変化して、外部ＥＧＲが終了すれば（ＥＧＲ実行フラグオフ）、処理を継続しないＮＯと判定して制御終了となる（エンド）。
【００５８】
次に、そうして計算したイオンパラメータＩｐを用いて、外部ＥＧＲ量を計算する手順を図８のフローチャート図に示す。図示の如くスタート後のステップＳＢ１では、ＥＧＲ実行フラグから外部ＥＧＲが実行されているかどうか判定し、フラグオフで判定がＮＯであればリターンする一方、フラグオンで外部ＥＧＲ実行中であれば、ＹＥＳと判定してステップＳＢ２に進んで、外部ＥＧＲの推定を行うことを示すＥＧＲ推定フラグをオンにして、ステップＳＢ３に進む。
【００５９】
ステップＳＢ３では、前記図７のフローのように計算したイオンパラメータＩｐと、エンジン運転状態（ｃｅ、ｎｅ）と点火時期とに基づいて、上述したように図６の演算マップを参照等して、外部ＥＧＲ率を計算する（実ＥＧＲ率の推定）。また、エンジン運転状態に応じてＥＧＲ制御部３０ａにより決定される外部ＥＧＲ率の制御目標値（目標ＥＧＲ率）を、例えばそのＥＧＲ制御のためのマップから読み込む。
【００６０】
続くステップＳＢ４では、前記ステップＳＢ３で計算した外部ＥＧＲ率の推定値と、エアフローセンサ１７により検出される新気の流量とに基づいて、外部ＥＧＲ量を推定する。この推定ＥＧＲ量IpQ_EGRは、充填効率ｃｅとエンジン回転数ｎｅとを用いれば、Ｋ１を換算係数として、  IpQ_EGR ＝ Ｋ１×ｎｅ×ｃｅ×推定ＥＧＲ率  と表される。また、同様にして目標ＥＧＲ率から目標ＥＧＲ量：目標Q_EGRを計算する。
【００６１】
そして、続くステップＳＢ５において、前記ステップＳＢ４にて計算した目標ＥＧＲ量が予め設定した基準値Q_EGR・K2以上かどうか比較する（目標Q_EGR≧Q_EGR・K2）。この基準値Q_EGR・K2は、例えばエンジン１の中回転域でＥＧＲ弁２５が８０％開度以上になっている等、比較的多めの外部ＥＧＲ量として設定されており、目標ＥＧＲ量が前記基準値未満で判定がＮＯであれば、前記のように計算した推定ＥＧＲ量及び目標ＥＧＲ量を１組で記憶して（ステップＳＢ６）前記ステップＳＢ３に戻り、その計算及び記憶を繰り返す（ＳＢ３〜ＳＢ６）。
【００６２】
一方、目標ＥＧＲ量が前記基準値以上になってＹＥＳと判定すれば、ステップＳＢ７に進み、ＥＧＲ推定フラグをオフにして、後述の故障診断のフロー（図１０参照）に進む。すなわち、図９(a)に模式的に示すように、車両の走行中にＰＣＭ３０のＥＧＲ制御部３０ａによりＥＧＲ弁２５の制御が開始され（ＥＧＲ実行フラグオン）、これに伴い前記の如く外部ＥＧＲ量の推定が開始された後、ＥＧＲ弁２５が或る程度大きく開き且つ車速が或る程度高くなれば、同図に一点鎖線で囲む範囲において推定ＥＧＲ量及び目標ＥＧＲ量の組のデータが必要なだけ採取されたと判断して、ＥＧＲ系の故障診断に進むのである。
【００６３】
尚、前記のように目標ＥＧＲ量が基準値以上（目標Q_EGR≧Q_EGR・K2）になっただけでなく、その間に記憶した推定ＥＧＲ量及び目標ＥＧＲ量のデータの組数が所定数以上である場合に、故障診断に進むようにしてもよい。同図(b)については詳しくは後述する。
【００６４】
前記図７、８のフローにより、エンジン１の燃焼室６において着火後、ＴＤＣ付近まで検出されたイオン電流値を積算し、その総積算値の所定割合までが積算されたクランク角位置（イオンパラメータＩｐ）を特定して、これにより外部ＥＧＲの状態を判定する判定手段３０ｂが構成されている。この実施形態では判定手段３０ｂは、イオンパラメータＩｐと点火時期とに基づき、さらにエンジン運転状態を加味して外部ＥＧＲ量を推定するようになっている。
【００６５】
（ＥＧＲ系の故障診断）
次に、前記のようにして得られた推定ＥＧＲ量及び目標ＥＧＲ量のデータに基づいて行うＥＧＲ系の故障診断について、前記図９(b)を参照して説明する。図示の如く、外部ＥＧＲの流量が少ない低流量点から高流量点まで、目標ＥＧＲ量：目標Q_EGRと推定ＥＧＲ量IpQ_EGRとの相関を表すグラフ（ＥＧＲの流量特性のグラフ）を求めたとき、ＥＧＲ系に何ら故障がなければ、両者は概ね一致し、図に実線で示す直線のグラフのようになる。
【００６６】
これに対し、例えば目詰まりによりＥＧＲ通路２４の面積が減少している場合、外部ＥＧＲが小流量であれば目詰まりの影響は現れ難いが、流量が多くなれば、実際の流量、即ち推定ＥＧＲ量IpQ_EGRは徐々に目標Q_EGRよりも少なくなっていき、図に破線で示す曲線のグラフのようになる。また、仮にＥＧＲ弁２５の弁体が固着して動かないときには、目標Q_EGRが変化してもＥＧＲ弁２５が作動せず、実際の流量IpQ_EGRが変化しないから、この場合は図に二点鎖線で示すようになると考えられる。
【００６７】
よって、実際に前記実線や破線、或いは二点鎖線で表されるような流量特性のグラフを求めれば、これによりＥＧＲ系の故障を、前記ＥＧＲ通路２４の目詰まりやＥＧＲ弁２５の固着といった現象にまで区別して、きめ細かく正確に診断することができる。但し、そのためには流量特性を正確に同定する必要があり、推定ＥＧＲ量及び目標ＥＧＲ量のデータを所定組以上、採取することが好ましい。
【００６８】
すなわち、故障診断の具体的な手順は、図１０のフローチャートに示すように、まず、前記図８のフローのステップＳＢ７に続くステップＳＢ８において、推定ＥＧＲ量及び目標ＥＧＲ量のデータに基づいて、例えば回帰分析の手法により、図９(b)に示すような流量特性のグラフを求める。続くステップＳＢ９では、低流量点及び高流量点のそれぞれで、推定ＥＧＲ量及び目標ＥＧＲ量の偏差の目標ＥＧＲ量に対する比率ＱＲ（以下、流量ずれ比率という）を求める。流量ずれ比率ＱＲは、  ＱＲ ＝ (IpQ_EGR／目標Q_EGR)−１  として定義され、その絶対値が大きいほど、実際の外部ＥＧＲ量が制御目標値からずれていることになる。以下、低流量点における流量ずれ比率ＱＲを「ＱＲ低」と、また、高流量点における流量ずれ比率ＱＲを「ＱＲ高」と、それぞれ記す。
【００６９】
続いて、ステップＳＢ１０において、まず、低流量点及び高流量点のそれぞれにおける流量ずれ比率（ＱＲ低、ＱＲ高）の絶対値が所定の故障判定値ＱＲLimitを越えているかどうか判定し、いずれも越えていなければ（ＮＯ）、ステップＳＢ１１にて故障なしと判定して、制御終了となる（エンド）。一方、ＱＲ低、ＱＲ高のいずれかの絶対値が故障判定値ＱＲLimitを越えていれば（ＹＥＳ）、ステップＳＢ１２に進んで、今度は、低流量点及び高流量点のそれぞれにおける推定ＥＧＲ量（IpQ_EGR低、IpQ_EGR高）がいずれも零より大きいことを判定する。
【００７０】
前記ステップＳＢ１２で判定がＮＯであれば、後述のステップＳＢ１６に進む一方、判定がＹＥＳであればステップＳＢ１３に進み、今度は低流量点及び高流量点における推定ＥＧＲ量が概ね同じ値かどうか比較する（IpQ_EGR低≒IpQ_EGR高？）。この判定がＮＯであれば、即ち両者の値が所定以上、異なっていれば、流量特性は前記図９(b)に破線で示すようになっており、ステップＳＢ１４に進んで目詰まりによるＥＧＲ通路面積の減少と判定する。
【００７１】
一方、前記ステップＳＢ１３の判定がＹＥＳでであれば、目標ＥＧＲ量：目標Q_EGRが低流量点から高流量点まで変化しても実際の外部ＥＧＲ量は殆ど変化していないということであり、流量特性は同図に二点鎖線で示すようになっているから、ステップＳＢ１５に進んでＥＧＲ弁２５の固着と判定する。尚、それらのいずれでもない場合、即ち、前記ステップＳＢ１２にてＮＯと判定して進んだステップＳＢ１６では、実際の外部ＥＧＲ量が零若しくは負値であるから、ＥＧＲ通路２４の閉塞やイオン電流検出回路３３の異常等、その他の故障と判定する。
【００７２】
そして、前記ステップＳＢ１４〜１６のいずれかからステップＳＢ１７に進み、前記のように判定した故障について例えば音声により、或いは画面表示により乗員に報知して、制御終了となる（エンド）。こうしてＥＧＲ系の故障をその現象毎に区別して、効果的な診断及び報知が行われる。
【００７３】
前記図１０のフローによって、ＰＣＭ３０の判定手段３０ｂにより推定された外部ＥＧＲ量（推定ＥＧＲ量）とＥＧＲ通路２４による排気ガス還流量（外部ＥＧＲ量）の目標値（目標ＥＧＲ量）とを対比して、ＥＧＲ系に関する故障を診断し、これを報知する故障報知手段３０ｃが構成されている。
【００７４】
（点火時期の補正制御）
次に、前記のように推定した外部ＥＧＲ量に基づいて行う点火時期の補正について説明する。すなわち、一般に、点火時期は、ノッキング等を回避しつつエンジンの運転効率が最も高くなるように設定され、このときにはシリンダ内圧のピークは圧縮上死点後（ＡＴＤＣ）１５〜２０°ＣＡに現れることになるが、前記のように外部ＥＧＲ量が目標値からずれて、燃焼が例えば緩慢になると、シリンダ内圧のピークは遅角側に移動し、効率が低下することになる。
【００７５】
そこで、この実施形態では、上述の如くイオンパラメータＩｐから推定した外部ＥＧＲ率に基づいて点火時期を補正することにより、外部ＥＧＲ量が目標値からずれていても、シリンダ内圧のピークが前記の望ましい範囲に現れるようにして、エンジン１の運転効率の低下を抑えるようにしたものである。
【００７６】
すなわち、前記図５(c)に相当する図１１に模式的に示すように、例えばエンジン１の現在の点火時期（実Igt）と制御の目標ＥＧＲ率（図例では１５％）とから決まる点ａに対して、イオン電流の検出値から求められるイオンパラメータＩｐ（実Ｉｐ）が進角側にあり、これに対応する点ｂから実際の外部ＥＧＲ率が１０％であると推定されたとする。
【００７７】
このとき、ＥＧＲ率は異なっていてもイオンパラメータＩｐの値が点ａと略同じになるように、点火時期を遅角させれば（図示の点ｃ）、即ち適正Igtまで補正すれば、外部ＥＧＲ量のずれによって燃焼速度が高くなっていても、その分、点火時期が遅角されることで、シリンダ内圧のピークは前記の望ましい範囲に現れるようになるのである。
【００７８】
以下に、前記のような点火時期補正の具体的な手順を図１２のフローチャート図に基づいて、説明すると、スタート後のステップＳＣ１では、前記図８のフローのステップＳＢ１と同様に外部ＥＧＲの実行中かどうか判定し、フラグオンで実行中であればステップＳＣ２に進んで、点火時期の補正を行うことを示す点火時期補正フラグをオンにして、ステップＳＣ３に進む。
【００７９】
このステップＳＣ３では、前記図８のフローのステップＳＢ３と同様に外部ＥＧＲ率を計算するとともに（実ＥＧＲ率の推定）、そうして推定した実ＥＧＲ率と目標ＥＧＲ率と現在の点火時期（実Igt）とに基づいて、前記図１１を参照して説明したように適正な点火時期（適正Igt）を計算する。この計算には、前記図６(b)のような演算マップを利用すればよい。
【００８０】
続いて、ステップＳＣ４では、実Igtと適正Igtとの間の点火時期のずれΔIgtを計算し（ΔIgt ＝ 適正Igt−実Igt）、ステップＳＣ５では、点火時期の補正のために現在の点火時期の制御値（実Igt）に加えられているオフセット値Igtofsを計算して、それらをエンジン１の運転状態に対応する基本的な制御目標値Igtpcmseqに加えることで、点火時期の次回の制御値を計算する（ステップＳＣ６）。尚、ΔIgt（-1）やIgtofs(-1)というのは、いずれも前回制御サイクルにおける値を示す。
【００８１】
すなわち、この実施形態では、図１３(a)に模式的に示すように、エンジン１の運転状態に対応して予め設定されている基本的な制御目標値Igtpcmseqに対して、これを補正するためのオフセット値Igtofsを常に加えて、点火時期の制御値を決定するようになっており、さらに、そのオフセット値Igtofsを、制御サイクル毎に求めた点火時期のずれΔIgtに応じて更新するようにしている。
【００８２】
そうして基本的な制御目標値Igtpcmseqにオフセット値Igtofsを加えて点火時期を制御することで、エンジン１の運転状態の変化により基本的な制御目標値Igtpcmseqが変化しても、そのことによらずオフセット値Igtofsの反映された点火時期制御が行われることになり、エンジン１の個体ばらつき等による影響を軽減できる。そして、さらにずれΔIgtに応じて点火時期が補正されることで、サイクル変動による外部ＥＧＲ量の変化の影響も軽減されて、エンジン１の運転効率が高められるのである。
【００８３】
図１３(b)は、車両の走行中にＰＣＭ３０のＥＧＲ制御部３０ａによりＥＧＲ弁２５の制御が開始され（ＥＧＲ実行フラグオン）、これに伴い前記の如く点火時期の補正が開始された後、推定ＥＧＲ率に基づいて求められる適正Igtの変化と、これに追従する実Igtの変化とを模式的に示すものであり、例えば外部ＥＧＲ量のサイクル変動によって、図に実線で示すように適正Igtが変化すると、この変化を追いかけるように実Igtも変化し（図に一点差線で示す）、両者のずれが徐々に小さくなっていくことが分かる。
【００８４】
そうして外部ＥＧＲの実行中は（図１２のステップＳＣ７でＹＥＳ）前記ステップＳＣ３〜ＳＣ６の手順を繰り返す一方、例えばエンジン１の運転状態が変化して、外部ＥＧＲが終了すれば（ＥＧＲ実行フラグオフ）、ステップＳＣ７でＮＯと判定してステップＳＣ８に進み、点火時期補正フラグをオフにして、制御終了となる（エンド）。
【００８５】
前記図１２のフローによって、ＰＣＭ３０の判定手段３０ｂにより推定された外部ＥＧＲ量（推定ＥＧＲ量）に基づいて、それが目標ＥＧＲ量よりも多ければ進角側へ、少なければ遅角側へと点火時期を補正する点火時期補正手段３０ｄが構成されている。
【００８６】
したがって、この実施形態に係るエンジンの排気ガス還流装置の診断装置によると、シリンダ２内の燃焼室６において点火後、ＴＤＣまでの特定の期間に検出したイオン電流値に基づいて、即ちイオン電流波形の前半の山の高さや形状等に基づいて、外部ＥＧＲの状態を判定することで、内部ＥＧＲの影響を極力、排除して、外部ＥＧＲの状態を従来よりも正確に判定することができる。
【００８７】
その際、前記特定期間におけるイオン電流の総積算値の所定割合（１０〜５０％）までが積算されたクランク角位置を、イオン電流の立ち上がり特性を表す評価値（イオンパラメータＩｐ）として用い、このイオンパラメータＩｐの他、点火時期、充填効率ｃｅ及びエンジン回転数ｎｅに基づいて、外部ＥＧＲの流量を定量的に推定することができる。こうして推定した外部ＥＧＲ量に基づいて、ＥＧＲ系の故障を、ＥＧＲ通路２４の目詰まりやＥＧＲ弁２５の固着といった現象にまで区別して、きめ細かく正確に診断することができ、効果的な診断及び報知が行える。
【００８８】
また、前記のように推定した外部ＥＧＲ量に基づいて、エンジン１の点火時期を補正することで、外部ＥＧＲ量が目標値からずれていても、シリンダ内圧のピークがＡＴＤＣ１５〜２０°ＣＡくらいの望ましい範囲に現れるようにすることができる。つまり、ＥＧＲ系の故障に対応するのみならず、サイクル変動による外部ＥＧＲ量の変化の影響も軽減して、エンジン１の運転効率を高めることができる。
【００８９】
尚、この実施形態の診断装置では、エンジン１の燃焼室６において点火後、ＴＤＣまでの特定の期間に検出したイオン電流値に基づいて、外部ＥＧＲの状態を判定するようにしているが、特定の期間はＴＤＣまでに限らず、その前後５〜１０°ＣＡくらいまでの範囲とすることができる。
【００９０】
また、イオンパラメータＩｐとして、前記特定期間におけるイオン電流の総積算値の所定割合（１０〜５０％）までが積算されたクランク角位置を用いているが、これに限らず、その所定割合が積算されるまでのイオン電流波形の傾きや最大値等をイオンパラメータＩｐとすることもできる。
【００９１】
また、前記実施形態では、イオンパラメータＩｐに基づいて推定した外部ＥＧＲ量を目標ＥＧＲ量と対比して、図１０のフローに示すようにＥＧＲ系の故障を現象毎に区別して診断するようにしているが、これに限るものではない。すなわち、例えば図１４に示すように、図８のフローのステップＳＢ７に続くステップＳＢ１８において、それまでに採取したデータから推定ＥＧＲ量IpQ_EGRの最大値を求め、これが所定値以上であれば故障なしと判定する（ステップＳＢ１９）一方、推定ＥＧＲ量IpQ_EGRの最大値が所定値未満であれば、故障と判定してこれを報知する（ステップＳＢ２０）ようにしてもよい。
【００９２】
その場合には、前記図８のフローのステップＳＢ６において、前記実施形態のように計算した推定ＥＧＲ量及び目標ＥＧＲ量を全て記憶する必要はなく、推定ＥＧＲ量の最大値を更新して記憶するだけでよい。また、前記の所定値というのは略零か、或いはＥＧＲ系が正常であれば生じ得ないような微小な流量であって、還流状態に対応して予め設定しておけばよく、こうすれば、より簡易にＥＧＲ系の故障を診断し、これを報知することができる。
【００９３】
さらに、前記の実施形態では、今回の燃焼サイクルにて検出した実Igtと適正IgtとのずれΔIgtを次回の燃焼サイクルのオフセット値Igtofsに反映させるようにしているが、これに限らず、所定回数の燃焼サイクルにおけるΔIgtの平均値をオフセット値Igtofsに反映させるようにしてもよい。
【図面の簡単な説明】
【００９４】
【図１】本発明の実施形態に係る排気還流装置の診断装置を備えたエンジンの概略構造図である。
【図２】イオン電流検出回路の構成(a)と、これにより検出されるイオン電流の波形(b)とを模式的に示す説明図である。
【図３】吸排気弁のリフトカーブを示す説明図である。
【図４】イオンパラメータの定義を模式的に示す説明図である。
【図５】点火時期及び外部ＥＧＲ率の変化に対応するイオンパラメータの変化を示す実験結果のグラフ図である。
【図６】エンジンの運転領域に格子点を設定したイメージ図(a)と、その各格子点毎に対応するエンジン運転状態において、イオンパラメータと点火時期とから外部ＥＧＲ率を求める演算マップ(b)とを模式的に示す説明図である。
【図７】イオンパラメータの計算の手順を示すフローチャート図である。
【図８】外部ＥＧＲ量の推定の手順を示すフローチャート図である。
【図９】ＥＧＲ系の故障診断の考え方を示す説明図である。
【図１０】ＥＧＲ系の故障診断の手順を示すフローチャート図である。
【図１１】点火時期補正の考え方を示す説明図である。
【図１２】点火時期補正の手順を示すフローチャート図である。
【図１３】点火時期補正の手法(a)とこれによる点火時期の変化(b)とを示す説明図である。
【図１４】他の実施形態に係る簡易な故障診断についての図１０相当図である。
【符号の説明】
【００９５】
１      エンジン
６      燃焼室
１５    吸気通路（吸気系）
２４    ＥＧＲ通路（排気ガス還流装置）
２５    ＥＧＲ弁（排気ガス還流装置）
３０    ＰＣＭ
３０ａ  ＥＧＲ制御部（排気ガス還流装置）
３０ｂ  判定手段
３０ｃ  故障報知手段
３０ｄ  点火時期補正手段
３３    イオン電流検出回路（イオン電流検出手段）
【図１】
2007270719.tif 000003
【図２】
2007270719.tif 000004
【図３】
2007270719.tif 000005
【図４】
2007270719.tif 000006
【図５】
2007270719.tif 000007
【図６】
2007270719.tif 000008
【図７】
2007270719.tif 000009
【図８】
2007270719.tif 000010
【図９】
2007270719.tif 000011
【図１０】
2007270719.tif 000012
【図１１】
2007270719.tif 000013
【図１２】
2007270719.tif 000014
【図１３】
2007270719.tif 000015
【図１４】
2007270719.tif 000016